(57)【要約】【課題】プライスカードの視認性を確保したまま、吊下げ陳列用什器の１列の横杆に大きさや寸法の異なる商品を陳列できるようにして、商品とプライスカードのレイアウトの自由度を高めることのできる表示装置を提供する。【解決手段】商品Ｓを吊り下げ陳列するための下段フック４２と表示用の上段フック４１を有するハンガー４の上段フック４１に取付けられるアタッチメント２と、アタッチメント２に取付け可能な固定部３２と表示体Ｈを保持可能な保持部３０とを有するホルダ３と、を備える表示装置１であって、アタッチメント２には、少なくとも上方側と下方側にホルダ３の固定部３２の一端を挿入可能なスリット溝Ｍ１，Ｍ２が形成されている。【選択図】図１
2020078460.tif 000002
【特許請求の範囲】
【請求項１】
商品を吊り下げ陳列するための下段フックと表示用の上段フックを有するハンガーの前記上段フックに取付けられるアタッチメントと、
前記アタッチメントに取付け可能な固定部と表示体を保持可能な保持部とを有するホルダと、を備える表示装置であって、
前記アタッチメントには、少なくとも上方側と下方側に前記ホルダの前記固定部の一端を挿入可能なスリット溝が形成されていることを特徴とする表示装置。
【請求項２】
前記下方側のスリット溝は、前記アタッチメントの最下端に形成されており、開口方向が前方斜め上方を向いて形成されていることを特徴とする請求項１に記載の表示装置。
【請求項３】
前記ホルダは、前記固定部に対して前記保持部を回動可能に連結する連結部を有しており、前記固定部の一端が前記最下端のスリット溝に挿入された際、側面視への字形状にされ得ることを特徴とする請求項２に記載の表示装置。
【請求項４】
前記最下端のスリット溝内の背面側には、前記固定部の一端と係合可能な係合部が形成されており、前記最下端のスリット溝内の前面側には、前記固定部の一端を回動可能に収容する回動空間が形成されていることを特徴とする請求項２または３に記載の表示装置。
【請求項５】
前記最下端のスリット溝は、二枚の近接した弾性片から構成されていることを特徴とする請求項２ないし４のいずれかに記載の表示装置。
【請求項６】
前記最下端のスリット溝の傾斜角は、４５°以内の範囲であることを特徴とする請求項２ないし５のいずれかに記載の表示装置。
【発明の詳細な説明】
【技術分野】
【０００１】
本発明は、商品陳列用什器に商品のプライスカード等を取付ける際に利用される表示装置に関する。
【背景技術】
【０００２】
スーパーマーケットやコンビニエンスストア等の商品売場では、商品を陳列するための商品陳列什器が設置されている。さまざまな商品を取り扱うスーパーマーケットやコンビニエンスストア等においては、限られた商品陳列スペースで出来るだけ多種の商品を購買者に向けて陳列したいという要望がある。その中でも菓子類や小型乾電池、歯ブラシなどにおいては、フックに個々をパッケージごとに吊下げ陳列させる吊下げ陳列用什器が用いられている。
【０００３】
このような吊下げ陳列用什器は、上下に延びる一対の支柱間にブラケットと上下に複数の横杆を有し、これらの横杆には側面視十手型のハンガーが複数取付けられている。十手型のハンガーは、商品を吊下げ陳列するための下段フックと、該下段フックの上方で並行して延びるプライスカードを設置するための上段フックと、から主に構成されている。
【０００４】
十手型ハンガーの上段フックのプライスカードを購買者に見え易く配置するために、例えば特許文献１のプライスカード表示装置（表示装置）は、上段フックの先端に取付けられるアタッチメントと、アタッチメントに接続固定され前面にプライスカードを保持することができるホルダと、から構成され、アタッチメントは、十手型ハンガーの上段フックの前端部に挿嵌される取付部と、取付部の前面に一体に形成される板状の受け部とを有し、アタッチメントにおける受け部の上端部にホルダの上端部から後向きに突出する上突出部が係止されるとともに、受け部の下端部にホルダの下端部から後向きに突出する下突出部が嵌合されることにより、前面にプライスカードを保持したホルダがアタッチメントに対して角度調整可能に取付けられるようになっている。
【先行技術文献】
【特許文献】
【０００５】
【特許文献１】実用新案登録第３１０６９２５号公報（第１０頁、第３図）
【発明の概要】
【発明が解決しようとする課題】
【０００６】
ここで、多種の商品を特許文献１のプライスカード表示装置を利用して陳列させる場合、ハンガーに吊下げられる長寸の商品が下方のハンガーのプライスカードの視認性を阻害しないように下方の横杆位置を下げる等の調整が必要になる。しかしながら、下方の横杆位置を長寸の商品に合わせて調整し下方のプライスカードの視認性を確保し、長寸の商品の隣に短寸の商品を陳列すると、短寸の商品の下端と下方のハンガーのプライスカードまでの空間がデッドスペースとなってしまうという問題がある。そのため、一つの横杆に対して一種類または同寸の商品を吊り下げる等、レイアウトの自由度が制限されていた。
【０００７】
本発明は、このような問題点に着目してなされたもので、プライスカードの視認性を確保したまま、吊下げ陳列用什器の１列の横杆に大きさや寸法の異なる商品を陳列できるようにして、商品とプライスカードのレイアウトの自由度を高めることのできる表示装置を提供することを目的とする。
【課題を解決するための手段】
【０００８】
前記課題を解決するために、本発明の表示装置は、
商品を吊り下げ陳列するための下段フックと表示用の上段フックを有するハンガーの前記上段フックに取付けられるアタッチメントと、
前記アタッチメントに取付け可能な固定部と表示体を保持可能な保持部とを有するホルダと、を備える表示装置であって、
前記アタッチメントには、少なくとも上方側と下方側に前記ホルダの前記固定部の一端を挿入可能なスリット溝が形成されていることを特徴としている。
この特徴によれば、アタッチメントにホルダの固定部が挿入される位置を上下に適宜変更してホルダを取付けることができるので、プライスカードの視認性を確保したまま、吊下げ陳列用什器の１列の横杆に大きさや寸法の異なる商品を陳列でき、商品とプライスカードのレイアウトの自由度を高めることができる。
【０００９】
前記下方側のスリット溝は、前記アタッチメントの最下端に形成されており、開口方向が前方斜め上方を向いて形成されていることを特徴としている。
この特徴によれば、最下端のスリット溝に挿入されたホルダは前傾して保持されるので、棚に対してホルダが占有する上下方向の高さを抑えることができる。
【００１０】
前記ホルダは、前記固定部に対して前記保持部を回動可能に連結する連結部を有しており、前記固定部の一端が前記最下端のスリット溝に挿入された際、側面視への字形状にされ得ることを特徴としている。
この特徴によれば、連結部により保持部が表示体を正面側に向けて傾斜されるので、購買者に対する表示体の視認性を確保しつつ、保持部の上下方向の高さを抑えることができる。
【００１１】
前記最下端のスリット溝内の背面側には、前記固定部の一端と係合可能な係合部が形成されており、前記最下端のスリット溝内の前面側には、前記固定部の一端を回動可能に収容する回動空間が形成されていることを特徴としている。
この特徴によれば、ホルダの固定部は、アタッチメントの最下端に備えられたスリット溝に挿入され前傾して保持され、このとき、スリット溝内の背面側の係合部と係合しているのでスリット溝からホルダの固定部が抜け難くなっている。また、スリット溝から固定部を離脱させる際は、ホルダの固定部の一端を回動空間内で回動させることで離脱させ易い。
【００１２】
前記最下端のスリット溝は、二枚の近接した弾性片から構成されていることを特徴としている。
この特徴によれば、ホルダの固定部の一端を弾性挟持できる挟持力を確保でき、弾性片を変形させ易いのでホルダの固定部の一端をスリット溝に取付けまたは取外し易い。
【００１３】
前記最下端のスリット溝の傾斜角は、４５°以内の範囲であることを特徴としている。
この特徴によれば、最下端のスリット溝に保持されたホルダを抜け難くすることができる。
【図面の簡単な説明】
【００１４】
【図１】本発明の実施例における表示装置の構造を示す斜視図である。
【図２】表示装置をハンガーに取付ける態様を示す背面側の分解斜視図である。
【図３】アタッチメントを示す斜視図である。
【図４】アタッチメントを示す側面図である。
【図５】ホルダを示す側面図である。
【図６】（ａ）はアタッチメントの上方保持部にホルダを保持させた側面図である。（ｂ）はアタッチメントの下方保持部にホルダを保持させた側面図である。（ｃ）はアタッチメントのＬ字片保持部にホルダを保持させた側面図である。
【図７】購買者がハンガーに吊るされた商品を取り出す態様を示した模式図である。
【図８】（ａ）はホルダをアタッチメントの下方保持部に係合させた側面図であり、（ｂ）はホルダをアタッチメントの下方保持部から取り外す態様を示した側面図である。
【図９】本発明の変形例における表示装置の構造を示す斜視図である。
【発明を実施するための形態】
【００１５】
本発明に係る表示装置を実施するための形態を実施例１に基づいて以下に説明する。
【実施例】
【００１６】
実施例１に係る表示装置につき、図１から図８を参照して説明する。以下、図１の表示装置における左手前側を正面側とし、正面側からみて左右側を表示装置の左右として説明する。
【００１７】
本実施例の表示装置１は、スーパーマーケットやコンビニエンスストア等で、商品の値段等が記された表示体を保持し購買者へ向けて表示するものであり、十手型のハンガー４に吊下げ陳列させる吊下げ陳列用什器９に取付けられるアタッチメント２と、ホルダ３からなる。尚、吊下げ陳列用什器９は、商品を陳列することに限られず、倉庫などで物品を収納する物品収納用として利用されてもよい。
【００１８】
図１に示されるように、吊下げ陳列用什器９は、左右に離間する一対の支柱８，８と、支柱８，８の上端部の対向面同士を連結している横連結杆７と、支柱８，８の前面側に形成された係合孔８０，…にそれぞれ係合する係止片６０，６０を左右端に備え支柱８，８に直角に横架される横杆部材６，…と、横杆部材６，…に上方側から嵌るハンガー基体５，…と、ハンガー基体５，…の上面に溶接されたハンガー４と、から主に構成されている。支柱８，８は、図示しない脚部を有して自立可能となっているとともに、支柱８，８の前面側に形成された係合孔８０，…は、上下方向に左右２列に多数並んでおり、横杆部材６，…を構成する係止片６０と係合させることで横杆部材６，…を所望の高さで支持できるようになっている。
【００１９】
図６を参照し、ハンガー４は、１本の線材を曲げて側面視略コ字状に形成されており、上段フック４１よりも下段フック４２が長尺に形成されている。長尺に形成された下段フック４２には、商品Ｓを複数吊下げ陳列できるようになっている。詳しくは上段フック４１と、下段フック４２は等間隔に水平に伸びる水平部４１ｂ，４２ｂをそれぞれ備え、また、上段フック４１の先端部は直角に折り曲げ加工されて上方に延びる直立部４１ａが形成され、下段フック４２の先端部は斜め上方かつ前方に向けて傾斜する傾斜部４２ａが形成されている。
【００２０】
図２に示されるように、表示装置１は、アタッチメント２と、ホルダ３から成り、ホルダ３の保持部３０に商品Ｓの値段等が記された表示体Ｈが保持され、表示体Ｈを購買者へ表示できるようになっている（図１参照）。
【００２１】
アタッチメント２は、上段フック４１の水平部４１ｂに上方から外嵌するように下方側が開放された嵌合部２０と、上段フック４１の直立部４１ａが挿入され周方向で嵌合する嵌合孔２１を備えている。アタッチメント２は、上段フック４１に対して、アタッチメント２の嵌合部２０と嵌合孔２１がそれぞれ嵌合され取付けた際、上段フック４１における直立部４１ａの先端４１ｃとアタッチメント２の嵌合孔２１近傍の上面２１ａが略面一になるように形成されている。（図６参照）
【００２２】
次に、アタッチメント２の構造を図３、図４に基づいて説明する。尚、ここでは、図４の左側をアタッチメント２の前面側とし、紙面上下を上下側として説明する。
【００２３】
図３、図４に示されるように、アタッチメント２は、ポリカーボネート等の弾性を備え耐久性の高いプラスチックを素材として一体形成されている。アタッチメント２は、正面視略Ｈ字形状を成しており、中央部の上方側と下方側に空間が形成されている。アタッチメント２は、正面側にホルダ３を挟持可能な保持部２２，２２、２３，２３、２４，２４を複数備えている。正面側の下方には、ホルダ３の後述する固定部３２における垂下片３４を挟持可能な下方保持部２２，２２が備えられ、上方にはホルダ３の固定部３２における垂下片３４を挟持可能な上方保持部２３，２３が備えられている。また後述するホルダ３のＬ字片３３を挟持可能なＬ字片保持部２４，２４が上方保持部２３，２３の前面側に備えられている。
【００２４】
アタッチメント２は、基板２Ｃの背面側に形成され上段フック４１への嵌合によりフック４１に取付けられる取付部２Ａと、基板２Ｃの正面側に形成されホルダ３を保持する保持部２Ｂから形成されている。
【００２５】
図３、４に示されるように、下方保持部２２、上方保持部２３、Ｌ字片保持部２４は、それぞれ左右方向が開放されている。下方保持部２２は、基板２Ｃの前面かつ下方から斜め上方に延出する上弾性片１２２と、上弾性片１２２よりも下方側に下弾性片１２３を備えており、下弾性片１２３は基板２Ｃから前後方向に延出される底部１２４に連なり、上弾性片１２２と等間隔に離間されていることでスリット溝Ｍ１が形成されている。上方保持部２３は、基板２Ｃの背面側から上方に延びる弾性片１２７と基板２Ｃの正面側から上方に延びる弾性片１２６によってスリット溝Ｍ２が形成されている。Ｌ字片保持部２４は、基板２Ｃの正面側から上方に延びる弾性片１２６と弾性片１２６に連なり側面視略Ｓ状に折り返された弾性片１２８によってスリット溝Ｍ３が形成されている。また、上弾性片１２２，１２２には、下弾性片１２３，１２３の対向面に上方から下方に向けて拡がる凸部２２ａ，２２ａが形成されており、下方保持部２２，２２に挿入されたホルダ３の垂下片３４の後述する係止爪３５に係合されるようになっている。
【００２６】
上弾性片１２２，１２２には、左右方向の外方から中央部に亘って下弾性片１２３側に突出する凸部２２ａ，２２ａが形成されている（図３参照）。また、凸部２２ａは、上弾性片１２２の上方から下方に向けて拡がるように形成されている。また、下方保持部２２のスリット溝内における底部１２４の正面側には正面側に向けて拡がり、後述する垂下片３４の係止爪３５を回動させることも可能な遊び空間としての回動空間２２ｃが形成されている。
【００２７】
ホルダ３の構造について図５を用いて説明する。尚、ここでは、図５の手前側及び奥側をホルダ３の左右側とし、紙面左側をホルダ３の正面側、紙面右側を背面側として説明する。
【００２８】
ホルダ３は、正面側に透過性のあるプラスチック等で折り曲げ形成され表示体Ｈを挟持することができる保持部３０と、背面側にアタッチメント２と接続される固定部３２と、固定部３２の上端と保持部３０の上端とを連結する弾性体からなる連結部材３１と、から主に形成されている。保持部３０は左右が開放され、保持部３０の他端にはツマミ部３０ａが形成されており、該ツマミ部３０ａを正面側へ引き出すことにより表示体Ｈを保持部３０へスライド挿入させ易くなっている。
【００２９】
ホルダ３の固定部３２は、上方から下方まで垂直に伸びる垂下片３４と、下方側の端部近傍から垂下片３４に対して直角に伸び、上方へ立ち上がる側面視略Ｌ字のＬ字片３３と、を備えている。Ｌ字片３３は、端部近傍が前方斜め上方へ傾斜されており、アタッチメント２のＬ字片保持部２４と係合するようになっている。垂下片３４は、下方端部が背面側に傾斜され上方側へ突片を備える係止爪３５を備えている。
【００３０】
また、連結部材３１は、固定部３２に対して保持部３０を前後方向に揺動可能に連結されている。
【００３１】
図６（ａ）に示されるように、アタッチメント２の上方保持部２３にホルダ３を取付けると、ホルダ３が上方へ突出するので、ハンガー４の上方に吊るされた商品Ｓが短寸の際に上方の短寸の商品の下方側に形成されているデッドスペースを抑えることができるようになっている。
【００３２】
図６（ｂ）に示されるように、アタッチメント２の下方保持部２２にホルダ３を取付けると、ホルダ３の固定部３２が前傾されて取付けられる。また、ホルダ３の連結部材３１が固定部３２に対して保持部３０を揺動可能に連結しているので、保持部３０の背面を下段フック４２における傾斜部４２ａの先端に当接させ、ホルダ３を側面視略への字形状に配置できるようになっている。ホルダ３を側面視略への字形状に配置させると、ホルダ３の上方への突出を抑えることができるので、ハンガー４の上方に吊るされた商品Ｓが長寸の際や、上下の棚間をできる限り狭く配置したい際に効果的である。
【００３３】
また、図６（ｃ）に示されるように、アタッチメント２は、Ｌ字片保持部２４にホルダ３のＬ字片３３を取付けることも可能であり、ホルダ３の上方への突出を図６（ａ）より低く抑え、図６（ｂ）より上方へ突出させるようになっている。また、２つのホルダ３をＬ字片保持部２４と上方保持部２３に保持させ、購買者に向けて表示させることもできるようになっている。
【００３４】
図７は、ホルダ３を先述した図６（ｂ）の態様に配置させ、商品Ｓを取り出す態様を示している。下段フック４２に吊持された商品Ｓを傾斜部４２ａより手前に引出し、商品Ｓが保持部３０の背面に当接すると、保持部３０は連結部材３１が固定部３２に対して揺動可能に取付けられているので、商品Ｓとともに手前側に持ち上がるようになっており、購買者が片手で容易に商品Ｓを取り出せるようになっている。
【００３５】
図８（ａ）を参照し、下方保持部２２に垂下片３４を装着させる際には、下方保持部２２に垂下片３４が挿入されると、垂下片３４は、下弾性片１２３と凸部２２ａに挟持されるようになっており、下方に向けて拡がる凸部２２ａの下端と、係止爪３５の上端が当接することでホルダ３とアタッチメント２の下方保持部２２との係合が完了し、図８（ａ）に示される状態となる。下弾性片１２３の傾斜角Ｄは、基板２Ｃに対して４５°以内に傾斜するように形成されているので、図７に示すように商品Ｓを手前側に取り出す際、垂下片３４が下方保持部２２から抜け出し難いようになっている。また、垂下片３４を上弾性片１２２と下弾性片１２３とで確実に弾性挟持できるようになっている。そのため、垂下片３４が下方保持部２２から抜け出し難いようになっている。
【００３６】
図８（ｂ）を参照し、下方保持部２２から垂下片３４を離脱させる際には、垂下片３４を基板２Ｃ側に傾斜させると、Ｌ字片３３の立上部３３ａが基板２Ｃに当接し、立上部３３ａを支点に垂下片３４の係止爪３５が底部１２４の正面側に形成されている回動空間２２ｃ側へ回動されるようになっている。このように係止爪３５が回動空間２２ｃへ回動されることで下方保持部２２と垂下片３４との係合が解除されるようになっている。また、下方保持部２２が上弾性片１２２と、下弾性片１２３の２枚の弾性体からなるため変形させ易く、垂下片３４を取り出し易くなっている。
【００３７】
実施例１の変形例について図９を用いて説明する。尚、前記実施例１に示される構成部分と同一構成部分については同一符号を付して重複する説明を省略する。前述した実施例１においては、一つのハンガー４に対し、アタッチメント２とホルダ３をそれぞれ一つずつ取付けていたが、これに限られず、図９に示すように横杆部材６に複数取付けられたハンガー４，…に対し、等間隔にアタッチメント２，２を取付け、アタッチメント２，２に対して、左右に亘って長尺に形成されたホルダ３を取付けることとしても良い。
【００３８】
以上説明したように、商品Ｓを吊り下げ陳列するための下段フック４２と表示用の上段フック４１を備えたハンガー４の上段フック４１に取付けられるアタッチメント２と、アタッチメント２に接続可能な固定部３２と表示体Ｈを保持可能な保持部３０とを備えたホルダ３と、を備える表示装置１であって、アタッチメント２には、少なくとも上方側と下方側にホルダ３の固定部３２の一端を挿入可能なスリット溝が形成されていることから、アタッチメント２にホルダ３の固定部が挿入される位置を上下に適宜変更することができるので、表示体Ｈの視認性を確保したまま、吊下げ陳列用什器９の１列の横杆部材６に大きさや寸法の異なる商品Ｓを陳列でき、商品Ｓと表示体Ｈのレイアウトの自由度を高めることができる。
【００３９】
また、下方保持部２２は、アタッチメント２の最下端に形成されており、開口方向が前方斜め上方を向いて形成されていることから、下方保持部２２に挿入されたホルダ３は前傾して保持されるので、棚に対してホルダ３が占有する上下方向の高さを抑えることができる。
【００４０】
また、ホルダ３は、固定部３２に対して保持部３０を回動可能に連結する連結部材３１を備えており、固定部３２の一端が下方保持部２２に挿入された際、側面視への字形状にされ得ることから、連結部材３１により保持部３０が表示体Ｈを正面側に向けて傾斜されるので、購買者に対する表示体Ｈの視認性を確保しつつ、保持部３０の上下方向の高さを抑えることができる。
【００４１】
また、下方保持部２２内の背面側には、固定部３２の一端と係合可能な係合部としての凸部２２ａを備え、下方保持部２２内の前面側には、固定部３２の一端を回動可能に収容する回動空間２２ｃが形成されていることから、ホルダ３の固定部３２は、アタッチメント２の最下端に備えられた下方保持部２２に挿入され前傾して保持されているので、下方保持部２２内の背面側の係合部としての凸部２２ａと係合させると抜け難くすることができる。また、下方保持部２２から固定部３２を離脱させる際は、ホルダ３の固定部３２の一端を回動空間２２ｃ内で回動させることで離脱させ易い。
【００４２】
また、下方保持部２２は、二枚の近接した弾性片である上弾性片１２２と下弾性片１２３から構成されていることから、ホルダ３の固定部３２の一端を挟持できる挟持力を確保でき、変形させ易いのでホルダ３の固定部３２の一端を取付または取外し易い。
【００４３】
また、下方保持部２２の傾斜角Ｄは、４５°以内の範囲であることから、下方保持部２２に挿入されたホルダ３を抜け難くすることができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、下方保持部２２の傾斜角Ｄは、４５°以内の範囲であると説明したが、これに限らず、４５°の範囲内でなくてもよい。
【００４６】
また、前記実施例では、アタッチメント２の下方側のスリット溝は、最下端に形成されていると説明したが、これに限られず、アタッチメント２の中央部から下方側に形成されていればよい。
【００４７】
また、前記実施例では、アタッチメント２は、ポリカーボネート等の弾性を備え耐久性の高いプラスチックを素材として一体形成されていると説明したが、これに限られず、プラスチック以外の素材で形成してもよいし、それぞれ別部材からなるアタッチメント２としてもよい。
【００４８】
また、前記実施例では、下方保持部２２は上弾性片１２２、下弾性片１２３を備え、スリット溝Ｍ１を形成していると説明したが、これに限られず、ホルダ３の垂下片３４を保持できれば弾性片でなくてもよいし、片ではなく、塊状の下方保持部としてもよい。
【００４９】
また、前記実施例では、ホルダ３の備える固定部３２と、連結部３１と、保持部３０はそれぞれ別部材により形成されていると説明したが、これに限られず、固定部３２と、連結部３１と、保持部３０と、が一体的に形成されているホルダ３としても良い。
【００５０】
また、固定部３２の係止爪３５は、下方端部が背面側に傾斜され上方側へ突片を備えると説明したが、これに限られず、下方端部が前面側に傾斜され上方側へ突片を備えるようにしてもよい。
【符号の説明】
【００５１】
１            表示装置
２            アタッチメント
３            ホルダ
４            ハンガー
５            ハンガー基体
６            横杆部材
８，８        支柱
９            陳列用什器
２２          下方保持部
２２ａ        凸部(係合部)
２２ｃ        回動空間
２３          上方保持部
２４          Ｌ字片保持部
３０          保持部
３１          連結部材（連結部）
３２          固定部
３３          Ｌ字片
３４          垂下片
３５          係止爪
４１          上段フック
４２          下段フック
１２２        上弾性片
１２３        下弾性片
Ｄ            傾斜角
Ｈ            表示体（プライスカード）
Ｓ            商品
Ｍ１〜３      スリット溝
【図１】
2020078460.tif 000003
【図２】
2020078460.tif 000004
【図３】
2020078460.tif 000005
【図４】
2020078460.tif 000006
【図５】
2020078460.tif 000007
【図６】
2020078460.tif 000008
【図７】
2020078460.tif 000009
【図８】
2020078460.tif 000010
【図９】
2020078460.tif 000011